(57)【要約】【課題】ケーブルの各信号線対の差動インピーダンスの差を小さくし、同時に信号線対間の耐クロストーク性を向上させる。【解決手段】伝送ケーブル１は、導電性帯条体１５によって絶縁体１３で被覆されたドレイン線１１と対の信号線９との外周を囲包した複数の信号線対３が互いに接触してケーブルのシールド層５内に配置されている。さらに、外周側に位置する複数の信号線対３がケーブルのシールド層５に接触した構造である。信号線対３の導電性帯条体１５がケーブル１のシールド層５と導通し、ＧＮＤと信号線９の位置関係がどの信号線対３に関しても同じになるので、インピーダンスなどの諸特性がどの信号線対３でも同じになる。端末処理部のコネクタ取り付け部の直前まで導電性帯条体１５のシールドが維持されるので、それぞれの信号線９の耐クロストーク性が向上する。【選択図】　　　図１
2004071386.tif 000002
【特許請求の範囲】
【請求項１】
導電性帯条体によって絶縁体で被覆されたドレイン線と対の信号線との外周を囲包した複数の信号線対を互いに接触してケーブルのシールド層内に配置し、且つ外周側に位置する複数の信号線対をケーブルのシールド層に接触した構造であることを特徴とする伝送ケーブル。
【請求項２】
前記ドレイン線と対の信号線を、絶縁体で一括被覆又は別々に被覆していることを特徴とする請求項１記載の伝送ケーブル。
【請求項３】
前記導電性帯条体が、導電性を有する導電テープ又は導体線からなることを特徴とする請求項１又は２記載の伝送ケーブル。
【発明の詳細な説明】
【０００１】
【発明の属する技術分野】
この発明は、コンピュータなどのサーバ間に使用する通信伝送ケーブルなどに利用する伝送ケーブルに関し、通信信号などを大容量で瞬時に送信しても、受信及び送信が瞬時または同時にスムーズに行う場合などに用いられる伝送ケーブルに関する。
【０００２】
【従来の技術】
図３を参照するに、従来の伝送ケーブル１０１においては、インターフェースケーブルとして使用されている一般のＳＣＳＩケーブル（スカジー）が最も近いものと思われる。このＳＣＳＩケーブルの場合、一対の信号線１０３（中心導体）がそれぞれ別々に樹脂などの絶縁材料でシースされた絶縁線のペア線が対撚りを施されて信号線対１０５とされ、この信号線対１０５が複数撚り合わされて集合され、この複数の信号線対１０５に編組１０７（シールド）が行われた後に、その周囲にシース１０９が施されることにより完成される。
【０００３】
【発明が解決しようとする課題】
ところで、従来のＳＣＳＩケーブルなどの伝送ケーブル１０１においては、図４に示されているように端末処理部分で撚りをほぐす必要があり、この撚りをほぐされた信号線対１０５が例えばコネクタ１１１に接続されるときに複数の信号線対１０５が必ずしも平行とならず、点線の信号線対１０５と実線の信号線対１０５のようにクロスすることが多い。このクロスした信号線対１０５が互いに影響を及ぼし易くなるので端末処理部分でクロストーク（漏話）が発生しやすくなるという問題点があった。
【０００４】
また、従来の伝送ケーブル１０１は各信号線対１０５にシールドを有していないので外周の編組１０７（シールド部；ＧＮＤ）に近いところの信号線対１０５ほど静電容量が大きくなるためにインピーダンスが低くなる傾向にあり、インピーダンスコントロールが難しいという問題点があった。
【０００５】
また、各信号線対１０５が電気的に互いに結合しているためインピーダンスのコントロールが難しいという問題点があった。
【０００６】
また、インピーダンスを合わせるためには伝送ケーブル１０１の内周と外周の信号線１０３の設計を変える必要が出てくる場合がある。つまり、内周の信号線対１０５より外周の信号線対１０５の方がインピーダンスを大きくなるように設計する必要が生じるので、伝送ケーブル１０１の加工生産性を低下させるという問題点があった。
【０００７】
また、従来の伝送ケーブル１０１は、互いの信号線対１０５どうしにクロストークが発生しないようにしてクロストークの特性を改善するために、図５（Ａ），（Ｂ）に示されているように各対で撚りピッチを変更したりすること（例えばピッチＰ１からピッチＰ２へ変更する）が必要である。その結果、中心導体の長さが各信号線対１０５で異なるために各対の全長を等長にするコントロールが難しく、各対で伝播遅延時間が異なるという問題点があった。換言すれば、対間（差動ペア間）のｓｋｅｗ（伝播遅延時間差）特性が大きくなるので、最近の高速伝送ケーブルではその導体長差が伝送特性上の問題となっていた。
【０００８】
また、対内（差動ペア内）でも、上記の理由で撚りのアンバランスのために、図６及び図７に示されているように差動ペアの信号線１０３Ａと信号線１０３Ｂにおける対内ｓｋｅｗ（対内伝播遅延時間差）特性を悪化させることがある。最近の高速伝送を目的とした情報量が大きいケーブルに使うためには各対及び対内でのｓｋｅｗを極力小さくする必要があるので、従来の伝送ケーブル１０１では最近の高速伝送には厳しい構造であるという問題点があった。
【０００９】
この発明は上述の課題を解決するためになされたもので、その目的は、ケーブルの各信号線対の差動インピーダンスの差を小さくすると共に信号線対間の耐クロストーク性を向上せしめ、ケーブルの加工生産性を向上し得る伝送ケーブルを提供することにある。
【００１０】
【課題を解決するための手段】
上記目的を達成するために請求項１によるこの発明の伝送ケーブルは、導電性帯条体によって絶縁体で被覆されたドレイン線と対の信号線との外周を囲包した複数の信号線対を互いに接触してケーブルのシールド層内に配置し、且つ外周側に位置する複数の信号線対をケーブルのシールド層に接触した構造であることを特徴とするものである。
【００１１】
したがって、端末処理部のコネクタ取り付け部の直前まで導電性帯条体のシールドが維持されるので、それぞれの信号線の耐クロストーク性が向上する。
【００１２】
また、各信号線対に耐クロストーク性を目的とした撚りを施す必要がないので、各信号線対を等長に保つことが容易となりケーブルの加工生産性が向上し、対間ｓｋｅｗ特性が向上すると共に撚りのアンバランスによって生じる信号線内のｓｋｅｗが少なくなる。
【００１３】
また、信号線対の導電性帯条体のシールド層がケーブルのシールド層と導通することで、ＧＮＤと信号線の位置関係がどの信号線対に関しても同じになるので、インピーダンスなどの諸特性がどの信号線対でも同じになる。
【００１４】
また、各信号線対の中に設けられているドレイン線はグランド線であるが、たとえ接地されないドレイン線があったとしても、上述した理由からすべての信号線対は確実にＧＮＤの電位と同じになる。
【００１５】
請求項２によるこの発明の伝送ケーブルは、請求項１記載の伝送ケーブルにおいて、前記ドレイン線と対の信号線を、絶縁体で一括被覆又は別々に被覆していることを特徴とするものである。
【００１６】
したがって、ドレイン線と対の信号線が、絶縁体で一括被覆されたものであっても、或いはそれぞれ別々に絶縁体で被覆されたものであっても適用される。
【００１７】
請求項３によるこの発明の伝送ケーブルは、請求項１又は２記載の伝送ケーブルにおいて、前記導電性帯条体が、導電性を有する導電テープ又は導体線からなることを特徴とするものである。
【００１８】
したがって、導電性帯条体は導電性を有するものであればよく、導電テープや導体線は対の信号線をシールドするのに容易である。
【００１９】
【発明の実施の形態】
以下、この発明の実施の形態について図面を参照して説明する。
【００２０】
図１を参照するに、この実施の形態に係わる伝送ケーブル１は複数の信号線対３が集合されたもので、各信号線対３が互いに接触してケーブルのシールド層５の内側に配置されており、上記の複数の信号線対３のうちの外周側に位置する複数の信号線対３がケーブルのシールド層５に接触し、このシールド層５の最外周には樹脂を用いたシース７が施されている。
【００２１】
より詳しくは図２を参照するに、上記の信号線対３は、一対の信号線９とドレイン線１１とがほぼ平行に並べられた状態に配置され、樹脂などの絶縁材料からなる絶縁体としての例えば絶縁層１３で被覆されるように一括して押出成形された構造となっている。なお、互いの信号線９の対線内においては機械的に等長に保たれるよう加工されている。さらに、上記の絶縁層１３が導電性帯条体としての例えば導電テープ１５によって全周囲に亘って囲包され、例えば螺旋巻き或いは縦添えされてシールドされるように構成されている。
【００２２】
なお、上記の導電テープ１５は、外周面に導体が露出していることを特徴とするものであり、導電テープ１５の内周面は粘着剤１７などにより粘着性を持たせてもよいし、そうでなくても構わない。また、上記の導電テープ１５が銅テープでもよいし、線状の導体線を使った横巻きシールドであっても構わない。
【００２３】
なお、信号線対３の他の例としては、一対の信号線９とドレイン線１１がそれぞれ別々の樹脂などの絶縁材料からなる絶縁体で被覆されたものであれば、これらの一対の信号線９とドレイン線１１の３本を並行に合わせたものに導電性帯条体としての例えば導電テープ１５によって全周囲に亘って巻き付けられてシールドされても構わない。いずれにしても、上記のドレイン線１１と導電テープ１５とは絶縁状態が保たれている必要がある。
【００２４】
再び図１を参照するに、この実施の形態に係わる伝送ケーブル１は、上記のように構成された複数の信号線対３が互いに接触してケーブルのシールド層５の内側に配置されている。しかも、上記の複数の信号線対３のうちの外周側に位置する複数の信号線対３が伝送ケーブル１のシールド層５に接触した構造である。また、上記の信号線対３の導電テープ１５によるシールド層と伝送ケーブル１のシールド層５とは電気的に導通させている。
【００２５】
なお、上記のシールド層５は、この実施の形態と同様に編組であっても構わず、或いはＡｌテープなどを用いた導電テープ巻きでも、その両方を用いても構わない。
【００２６】
以上のことから、各信号線対３は一対の信号線９が導電テープ１５によりシールドされて独立した状態となり、それぞれの信号線対３の導電テープ１５とケーブルのシールド層５が導通することで、すべての信号線対３のシールド層を同じ電位に保つことができる。たとえば、シールド層５をグランド（ＧＮＤ）とした場合、すべての信号線対３はその外周にＧＮＤの同じ電位を持つ構造となる。そのため、伝送ケーブル１の内周側、外周側の位置に関係なく、どの信号線対３もＧＮＤの位置関係が同じになりインピーダンスが同一に保持されることとなる。これによって、伝送ケーブル１の内外周で各信号線対３を同じ特性にするために従来行っていたように設計を変えたりする必要がなくなる。
【００２７】
また、この実施の形態の伝送ケーブル１では、それぞれの信号線対３に導電テープ１５によるシールドが施されているので、端末処理部のコネクタ取り付け部の直前まで導電性シールドを維持することができる。そのため、信号線対３同士が電気的に結合することがないので、それぞれの信号線９の耐クロストーク性が向上する。したがって、従来の伝送ケーブルの構造にあるような耐クロストーク性の向上を目的とした撚りを信号線対３に入れる必要がなくなる。
【００２８】
また、各信号線対３に施していた撚りをなくすことができたので、従来の伝送ケーブルよりも各信号線対３の信号線９の長さのコントロールが容易になり、伝送ケーブル１の加工生産性を向上できる。加えて、信号線対３の導体長差による対間ｓｋｅｗ特性を上げることができる。また、撚りをなくすことで撚り線にありがちな撚りのアンバランス自体をなくすことができ、その結果、対内ｓｋｅｗ特性の向上も図ることができる。
【００２９】
また、この実施の形態の伝送ケーブル１を用いたアセンブリ品と従来ケーブルを用いたアセンブリ品とを比較すると、従来ケーブルの場合は端末処理部付近で信号線対３が入り乱れることにより耐クロストーク特性が低下しやすいが、この伝送ケーブル１を用いたアセンブリ品では、各信号線対３の外周にＧＮＤ層を持つので構造上、各信号線対３が入り乱れてクロスすることがあっても耐クロストーク特性の低下は少ないという結果が得られた。
【００３０】
なお、この発明は前述した実施の形態に限定されることなく、適宜な変更を行うことによりその他の態様で実施し得るものである。
【００３１】
【発明の効果】
以上のごとき発明の実施の形態の説明から理解されるように、請求項１の発明によれば、請求項１記載の効果とほぼ同様であり、端末処理部のコネクタ取り付け部の直前まで導電性帯条体のシールドを維持することができるため、それぞれの信号線の耐クロストーク性が向上する。
【００３２】
また、各信号線対に耐クロストーク性を目的とした撚りを施す必要がないため、各信号線対を等長に保つことが容易にでき、ケーブルの加工生産性を向上でき、対間ｓｋｅｗ特性を向上させることができる。さらに、信号線対に撚りを施す必要がないため、撚りのアンバランスによって生じる信号線内のｓｋｅｗを少なくすることができる。
【００３３】
また、信号線対の導電性帯条体のシールド層をケーブルのシールド層と導通させることで、ＧＮＤと信号線の位置関係をどの信号線対に関しても同じにすることができる。そのため、インピーダンスなどの諸特性をどの信号線対でも同じにすることができる。
【００３４】
また、各信号線対の中に設けられているドレイン線は、信号線対におけるグランド線として用いるが、テープのシールド層とケーブルのシールド層は、導電しているため、グランドに対する信号線対とグランド線の位置関係が、どの対でも同じになり、ケーブルの内周にあるか外周にあるかということが、図２の信号線対の電気的特性に影響することはなくなる。
【００３５】
請求項２の発明によれば、ドレイン線と対の信号線を、絶縁体で一括被覆したものであっても、或いはそれぞれ別々に絶縁体で被覆したものであっても適用できる。
【００３６】
請求項３の発明によれば、請求項２記載の効果と同様であり、導電性帯条体は導電性を有するものであればよいが、導電テープや導体線を用いることにより対の信号線を容易にシールドすることができる。
【図面の簡単な説明】
【図１】この発明のこの実施の形態の伝送ケーブルの構造を示す断面図である。
【図２】図１の伝送ケーブル内の信号線対の構造を示す断面図である。
【図３】従来の伝送ケーブルの斜視図である。
【図４】従来の伝送ケーブルの端末処理状態を示す概略説明図である。
【図５】従来の伝送ケーブルの信号線対の撚り状態を示すもので、（Ａ）と（Ｂ）は撚りピッチが異なる状態を示す概略説明図である。
【図６】従来の伝送ケーブルの信号線対の信号線Ａと信号線Ｂとの伝播遅延時間差を示す比較図である。
【図７】図６の部分的な拡大図である。
【符号の説明】
１　伝送ケーブル
３　信号線対
５　シールド層
７　シース
９　信号線（中心導体）
１１　ドレイン線
１３　絶縁層（絶縁体）
１５　導電テープ（導電性帯条体）
１７　粘着剤
【図１】
2004071386.tif 000003
【図２】
2004071386.tif 000004
【図３】
2004071386.tif 000005
【図４】
2004071386.tif 000006
【図５】
2004071386.tif 000007
【図６】
2004071386.tif 000008
【図７】
2004071386.tif 000009